(57)【要約】【課題】プロセスカートリッジが所定の装着経路から逸脱したとしても、プロセスカートリッジの切り替え機構を動作させるようにする。【解決手段】プロセスカートリッジ１０は、電子写真感光体と、プロセス手段と、作動状態と非作動状態に切り替わる切り替え手段と、を有する。装置本体１００は、プロセスカートリッジを取り外し可能に装着する装着手段３００と、装着手段に対するプロセスカートリッジの着脱方向と交差する方向に移動可能な作用部材４００と、を有する。作用部材は、プロセスカートリッジの着脱動作に連動して切り替え手段に係合し、該切り替え手段を作動状態と非作動状態に切り替える。【選択図】図１
2006119462.tif 000002
【特許請求の範囲】
【請求項１】
電子写真感光体と、前記電子写真感光体に作用するプロセス手段と、作動状態と非作動状態とに切り替わる切り替え手段と、を有する、少なくとも一つのプロセスカートリッジを電子写真画像形成装置本体に着脱可能な電子写真画像形成装置において、
前記電子写真画像形成装置本体は、前記プロセスカートリッジを取り外し可能に装着する装着手段と、前記装着手段に対する前記プロセスカートリッジの着脱方向と交差する方向に移動可能な作用部材と、を有しており、
前記作用部材は、前記プロセスカートリッジの着脱動作に連動して前記切り替え手段に係合し、該切り替え手段を作動状態と非作動状態に切り替えることを特徴とする電子写真画像形成装置。
【請求項２】
前記プロセス手段が前記電子写真感光体に形成された潜像を現像剤によって現像する現像手段であり、前記電子写真画像形成装置本体は、前記現像手段に現像剤を補給する現像剤補給ユニットをさらに有することを特徴とする請求項１に記載の電子写真画像形成装置。
【請求項３】
前記電子写真画像形成装置本体は、前記作用部材が前記切り替え手段に係合する際に、前記作用部材の先端部を前記プロセスカートリッジ上での前記作用部材の通過面よりも上方に位置決めするための位置決め部と、前記プロセスカートリッジの未装着時に、前記作用部材の先端部を前記プロセスカートリッジ上での前記作用部材の通過面よりも下方に位置決めするための係止部と、前記装着手段が有する前記プロセスカートリッジの装着経路に位置する案内部と、をさらに有し、前記案内部は、前記プロセスカートリッジの装着時に、前記プロセスカートリッジに当接して前記位置決め部をプロセスカートリッジ面上に案内することを特徴とする請求項１又は請求項２に記載の電子写真画像形成装置。
【請求項４】
前記案内部は、前記位置決め部と連続しており、前記プロセスカートリッジの装着方向と交差する方向に傾斜していることを特徴とする請求項３に記載の電子写真画像形成装置。
【請求項５】
前記電子写真画像形成装置本体は、弾性部材をさらに有し、前記作用部材は、前記弾性部材により前記プロセスカートリッジ側に付勢されていることを特徴とする請求項１から請求項４の何れかに記載の電子写真画像形成装置。
【請求項６】
前記切り替え手段は、前記現像手段に現像剤を補給する現像剤補給口を開放状態と遮蔽状態に切り替えるシャッター機構であることを特徴とする請求項２に記載の電子写真画像形成装置。
【請求項７】
前記切り替え手段は、前記プロセスカートリッジの電子写真感光体が露光される露光窓を開放状態と遮蔽状態に切り替えるシャッター機構であることを特徴とする請求項１に記載の電子写真画像形成装置。
【発明の詳細な説明】
【技術分野】
【０００１】
本発明は、電子写真画像形成装置に関する。
【０００２】
ここで、電子写真画像形成装置とは、電子写真画像形成方式を用いて記録媒体（例えば、紙、OHPシート等）に画像を形成するものである。そして、電子写真画像形成装置の例として、例えば電子写真複写機、電子写真プリンタ（例えば、レーザービームプリンタ、ＬＥＤプリンタ等）、ファクシミリ装置及びそれらの複合機（マルチファンクションプリンター）が含まれる。
【背景技術】
【０００３】
従来、電子写真画像形成装置では、プロセスカートリッジを着脱する際に、カートリッジに設けたスリットが装置本体内に突出して設けられた固定ピンを通過する。そして、カートリッジのトナー補給口のシャッター機構に作用して、シャッターを開らくように構成したものが知られている（特許文献１）。
【特許文献１】特開２００２−０７２６５３号公報
【発明の開示】
【発明が解決しようとする課題】
【０００４】
従来は、当時として望まれるカートリッジとシャッター機構の連動を十分に満たすものであった。しかしながら、近年求められるようになったカートリッジ着脱操作性の向上を図る上で、カートリッジとシャッター機構の連動を改善する必要があった。
【０００５】
本発明の目的は、プロセスカートリッジを画像形成装置本体に装着する際に、プロセスカートリッジの有する切り替え手段をより確実に動作させることのできる電子写真画像形成装置を提供することである。
【０００６】
本発明の他の目的は、プロセスカートリッジを画像形成装置本体に装着する際に、プロセスカートリッジが所定の装着経路から逸脱したとしても、プロセスカートリッジの有する切り替え手段をより確実に動作させることのできる電子写真画像形成装置を提供することである。
【課題を解決するための手段】
【０００７】
上記目的を達成するため、本発明に係る代表的な電子写真画像形成装置の構成は、電子写真感光体と、前記電子写真感光体に作用するプロセス手段と、作動状態と非作動状態とに切り替わる切り替え手段と、を有する、少なくとも一つのプロセスカートリッジを電子写真画像形成装置本体に着脱可能な電子写真画像形成装置において、
前記電子写真画像形成装置本体は、前記プロセスカートリッジを取り外し可能に装着する装着手段と、前記装着手段に対する前記プロセスカートリッジの着脱方向と交差する方向に移動可能な作用部材と、を有しており、
前記作用部材は、前記プロセスカートリッジの着脱動作に連動して前記切り替え手段に係合し、該切り替え手段を作動状態と非作動状態に切り替えることを特徴とする電子写真画像形成装置、である。
【発明の効果】
【０００８】
本発明によれば、プロセスカートリッジを画像形成装置本体に装着する際に、プロセスカートリッジの有する切り替え手段をより確実に動作させることができる。
【０００９】
また、本発明によれば、プロセスカートリッジを画像形成装置本体に装着する際に、プロセスカートリッジが所定の装着経路から逸脱したとしても、プロセスカートリッジの有する切り替え手段をより確実に動作させることができる。
【発明を実施するための最良の形態】
【００１０】
以下、本発明を図面に基づいて詳しく説明する。
【実施例１】
【００１１】
図１から図１５は、本発明の実施の形態の一例を示したものである。
【００１２】
以下の説明において、電子写真画像形成装置にプロセスカートリッジを挿入する方向を基準にして、挿入方向を奥側、抜き出す方向を手前側と呼ぶ。さらに上、下とはカートリッジの装着状態における、上、下である。
【００１３】
［電子写真画像形成装置全体の説明］
図２は、本発明の実施例が具現化される電子写真画像形成装置の一実施例を示すカラー電子写真画像形成装置の全体構成説明図である。
【００１４】
本実施例のカラー電子写真画像形成装置は、電子写真画像形成プロセスによって記録紙、ＯＨＰシート、布等の記録媒体にカラー画像を形成するカラーレーザービームプリンタである。
【００１５】
本例に示すカラー電子写真画像形成装置は、電子写真画像形成装置本体１００に４つの画像形成ステーションＳ（Ｓｙ、Ｓｍ、Ｓｃ、Ｓｋ）を備えている。Ｓｙはイエロー用、Ｓｍはマゼンタ用、Ｓｃはシアン用、Ｓｋはブラック用の画像形成ステーションである。そして４色分のプロセスカートリッジ１０（１０ｙ、１０ｍ、１０ｃ、１０ｋ）及びトナー補給容器１５（１５ｙ、１５ｍ、１５ｃ、１５ｋ）がそれぞれ対応する各画像形成ステーションＳ（Ｓｙ、Ｓｍ、Ｓｃ、Ｓｋ）に取り外し可能に取り付けられている。また、装置本体１００は、レーザー光を照射可能な光学装置２０（２０ｙ、２０ｍ、２０ｃ、２０ｋ）と、中間転写体ユニット３０と、記録媒体搬送ユニット４０と、定着ユニット５０などを備えている。
【００１６】
上記構成において、まず１色目、例えばイエローのプロセスカートリッジ１０ｙとしてカートリッジ化された電子写真感光体としての感光体ドラム１２が帯電手段１３によって一様に帯電される。次に光学ユニット２０ｙから照射されたレーザー光２２によって感光体ドラム１２に潜像が形成される。そしてその潜像が現像手段１４によって現像されてトナー像が形成される。感光体ドラム１２上に形成されたトナー像は、一次転写ローラ３５の作用によって像担持体としての中間転写ベルト３１上に一次転写される。
【００１７】
同様の画像形成工程がマゼンタｍ、シアンｃ、ブラックｋ用の各プロセスカートリッジ１０ｍ、１０ｃ、１０ｋにおいても行われる。そして各色のトナー像が感光体ドラム１２に形成され、先に形成されたトナー像に順番に重ね転写される。
【００１８】
一方、記録媒体Ｐが給紙カセット４１または給紙トレイ４２から記録媒体搬送ユニット４０によって２次転写領域に搬送される。そして２次転写ローラ３６の作用によって中間転写ベルト３１上に形成されたトナー像が記録媒体Ｐに転写される。このときに転写しきれずに中間転写ベルト３１上に残った廃トナーはクリーニング装置７０に構成されたクリーニングブレード７１によって除去される。これによって中間転写ベルト３１は次の画像形成に供される。除去された廃トナーは廃トナー容器ユニット７５に回収される。
【００１９】
トナー像を転写された記録媒体Ｐは定着ユニット５０に搬送され、定着ローラ５１と加圧ローラ５２のニップ部にてトナー像が定着される。トナー像が定着された記録媒体Ｐは、排紙ローラ５５によって排紙トレイ５６上に排紙される。
【００２０】
ここで、各トナー補給容器１５は同一構造とされている。各トナー補給容器１５は、現像剤としてのトナーまたはトナーと磁性キャリアの混合物を内包し、それぞれ攪拌手段１６、スクリュー１７が一体的に構成されている。
【００２１】
中間転写体ユニット３０は、無端ベルト体である中間転写ベルト３１と、中間転写ベルト３１を回転可能に支持する３つのローラ３２、３３、３４と、各感光体ドラム１２に形成されたトナー像を転写ベルト３１に転写する一次転写ローラ３５と、転写ベルト３１上に転写されたトナー像を更に記録媒体Ｐに転写する二次転写ローラ３６とを備えている。上記３つのローラにおいて３２は駆動ローラ、３３はテンションローラー、３４は二次転写対向ローラである。
【００２２】
記録媒体搬送ユニット４０は、各給紙カセット４１あるいは給紙トレイ４２から記録媒体Ｐを二次転写領域に搬送するピックアップローラー４３、給紙ローラ４４、搬送ローラ４５、およびレジストローラ４６などを備えている。
【００２３】
[プロセスカートリッジ]
プロセスカートリッジ１０は、感光体ドラム１２と、これに作用する少なくとも１つのプロセス手段を一体的にカートリッジ化し、このカートリッジを装置本体１００に対して取り外し可能に取り付けられるものである。プロセス手段として、感光体ドラム１２を一様に帯電させるための帯電手段としてのコロナ帯電器１３と、感光ドラム表面に形成された潜像をトナーによって現像する現像手段としての現像器１４とを有する。感光体ドラム１２、コロナ帯電器１３および現像器１４はカートリッジフレーム１ａに支持されている。
【００２４】
本例に示す各カートリッジ１０は、図１５に示すように、感光体ドラム１２が回転し、その表面を帯電器１３によって一様に帯電する。次いでレーザー光２２を感光体ドラム１２に照射して静電潜像を形成する。その静電潜像をトナーを用いて現像器１４によって現像する。
【００２５】
現像器１４は、トナー収納部１４ａ内にトナーを有する。そしてトナー収納部１４ａに設けた現像ローラ１４ｂによってトナーを感光体ドラム１２に転移させる。これによって上記静電潜像に応じたトナー像を形成して可視像化する。
【００２６】
トナー収納部１４ａ内のトナー量はセンサー（不図示）によって常に検出されている。トナー量が所定量から低下すると、カートリッジ１０の上方に配置されたトナー補給容器１５のスクリュー１７が回転して、トナー収納部１４ａ内にトナーを補給する。
【００２７】
図９にカートリッジ１０を上面側から見た外観斜視図を示す。フレーム１ａの上面にはレーザー光２２が通過する露光窓としての露光開口１ｃが形成されている。カートリッジ１０を装置本体１００から取り外した際に、感光体ドラム１２が外光によって被爆する事を防止するためのレーザーシャッター１ｋが、フレーム１ａに回動可能に取り付けられている。このレーザーシャッター１ｋは、シャッター開閉カム１ｈの動きに連動して開閉を行うものである。ここで、レーザーシャッター１ｋは長手方向の回動中心１ｋ３（図８）によって回転可能にフレーム１ａに取り付けられている。
【００２８】
［プロセスカートリッジの装着］
カートリッジ１０の装着について説明する。
【００２９】
カートリッジ１０は装置本体１００に対して、ユーザーが容易に取り外しでき、感光体ドラム１２が寿命に至った場合に交換する。本実施の形態においては、例えば、感光体ドラム１２の回転回数と帯電時間をカウントし、所定カウント数を越えた場合に、カートリッジ１０が寿命に至ったことを報知するようにしている。
【００３０】
図３は、光学装置２０とプロセスカートリッジ１０の配置構成の説明図である。
２０は光学装置、８０は光学ステー、６０は前側板、６５は後側板、９０はＰ駆動ユニット、２００は開閉蓋ユニットを示す。
【００３１】
光学装置２０（２０ｙ、２０ｍ、２０ｃ、２０ｋ）をそれぞれ記録媒体の搬送方向に並べて設置するための光学ステー８０には、各光学装置２０を設置するためのＳ開口部８２（８２ｙ、８２ｍ、８２ｃ、８２ｋ）が設けられている。この光学ステー８０は、ステー差込部８４を前側板６０と後側板６５のステー差込穴６４に挿入することで記録媒体搬送方向と装置の高さ方向の位置が決定される。これにより光学ステー８０は前側板６０と後側板６５に固定される。
【００３２】
前側板６０には各カートリッジ１０を記録媒体の搬送方向に並べて着脱する事が可能なＰ開口部６１が設けられている。これらのカートリッジ１０を装置本体１００に着脱する際にはカートリッジ１０を装置本体１００に取り外し可能に装着するための装着手段（案内部材）が必要である。そこで、Ｐ開口部６１の上方にそれぞれのカートリッジ１０に対応するように図１０に示すガイドレール３００（３００ａ、３００ｂ、３００ｃ、３００ｄ、３００ｅ）が装着手段として設けられている。カートリッジ１０の装着方向は、感光体ドラム１２の軸線方向に平行な方向である。各ガイドレール３００はカートリッジ装着方向に配置されている。従って、カートリッジ１０は、上記ガイドレール３００に沿って装置本体１００内の手前側から奥側にスライドされて挿入される。ガイドレール３００については追って詳しく説明する。
【００３３】
カートリッジ１０が最奥部まで挿入されると、感光体ドラム１２のドラムフランジ１２ｂの中心穴（不図示）にＰ駆動ユニット９０のＰ駆動軸９２が挿入される。これによって、感光体ドラム１２の奥側の回転中心位置が装置本体１００に対して決められる。またこれと同時に、ドラムフランジ１２ｂに形成された駆動伝達部１２ｇとＰ駆動ユニット９０の駆動カップリング９１が連結される。これにより感光体ドラム１２の回転駆動が可能となる。
【００３４】
本実施の形態において用いた駆動伝達部１２ｇはねじれた三角柱形状をなしている。これによって、装置本体１００からの駆動力が駆動伝達部１２ｇに加わることで感光体ドラム１２に駆動が伝達されると共に、感光体ドラム１２を奥側に引き込む力を発生させている。
【００３５】
さらに、後側板６５のＰ駆動ユニット９０近傍には、カートリッジ１０を位置決めする支持ピン９３が配置されている。この支持ピン９３がカートリッジ１０のフレーム奥側に設けたピン嵌合穴（不図示）に挿入される。これにより、カートリッジ１０のフレーム奥側の位置が固定される。
【００３６】
前側板６０のＰ開口部６１近傍には、Ｐ開口部６１から挿入されたカートリッジ１０を保持するための開閉蓋ユニット２００が開閉可能に設けられている。この開閉蓋ユニット２００を閉じることによって該開閉蓋ユニットにカートリッジ１０の軸受ケース１２ｃが嵌合する。これにより、カートリッジ１０のフレーム手前側が支持固定される。
【００３７】
これら一連の挿入動作により、感光体ドラム１２とカートリッジ１０は装置本体１００に対して位置決めされる。
【００３８】
［プロセスカートリッジのシャッター部について］
図４はカートリッジ１０のトナー補給容器１５との接合部を拡大して示した平面図である。図４では、トナー補給容器側のフレーム１ａの上部に取り付けられる部材を取り外した状態を示している。
【００３９】
図４に示すように、カートリッジ１０のフレーム１ａの上面には、トナー補給容器１５のトナー排出開口部（不図示）に接続するためのトナー補給開口部１ｂが設けられている。補給開口部１ｂには補給容器１５からトナーを補給するための貫通穴であるトナー補給口１ｂ１が配置されている。なお、本実施例においては、補給開口部１ｂは感光体ドラム１２の駆動伝達側、すなわちカートリッジ１０の挿入方向の奥側に配置されている。
【００４０】
補給口１ｂ１の周囲にはシール部材１ｊがフレーム１ａの上面に接着固定されている。シール部材１ｊにはトナー補給口１ｂ１の穴形状と略同一形状の開口が形成されている。シール部材１ｊは、弾性を有し且つ表面の摺動抵抗が低いものが好ましい。本実施例ではウレタンフォームの上面に摺動シートを貼り付けたものを用いている。
【００４１】
また、フレーム１ａの上面には、二本のガイド溝１ａ１が同一直線上に形成されている。このガイド溝１ａ１は長手方向に平行な直線状をなしている。
【００４２】
［プロセスカートリッジのシャッター機構（切り替え手段）］
カートリッジ１０において切り替え手段としてのシャッター機構は、トナー補給口シャッター１ｄと、シャッター開閉カム１ｈと、レーザーシャッター１ｋによって構成されている。
【００４３】
先ず、上記シール部材１ｊの上に取り付けられる補給口シャッター１ｄについて図４及び図５を用いて説明する。図５（ａ）は補給口シャッター１ｄを上面から見た図、（ｂ）は補給口シャッター１ｄを下面から見た図を示している。
【００４４】
図５（ａ）に示すように補給口シャッター１ｄの左上には、円周状に形成されたギヤと噛み合って回転運動を直線運動に変換するためのラック１ｄ４が形成されている。また、補給口シャッター１ｄには、補給口１ｂ１の穴形状と賂同一形状の開口１ｄ１が形成されている。その開口１ｄ１の左側が遮蔽壁１ｄ２を構成している。
【００４５】
図５（ｂ）に示すように補給口シャッター１ｄの下面には、２本のガイドリブ１ｄ３が形成されている。そして、補給口シャッター１ｄを図４に示すシール部材１ｊの上に載置すると、ガイドリブ１ｄはガイド溝１ａ１にスライド可能に嵌合して、補給口シャッター１ｄはガイド溝１ａ１に案内されて長手方向に直線状に移動可能となる。上記ラック１ｄ４と、２つのガイドリブ１ｄ３を結ぶ直線とは平行している。
【００４６】
次に、シャッター開閉カム１ｈについて、図６を用いて説明する。図６はシャッター開閉カム１ｈを上面側から見た斜視図である。
【００４７】
シャッター開閉カム１ｈには、約４分の１円弧状にギヤ部１ｈ１を形成している。そのギヤ部１ｈ１の一方の終端には突当り端面１ｈ７を形成している。また、シャッター開閉カム１ｈにはピン１ｈ２がほぼ垂直上方に向かって突出して形成されている。裏面には回転中心ピン１ｈ３を備えている。回転中心ピン１ｈ３はフレーム１ａに形成された穴（不図示）に回転自在に支持されている。そして、シャッター開閉カム１ｈは回転中心ピン１ｈ３を中心にして回転を行う。回転中心ピン１ｈ３に対しギヤ部１ｈ１の略反対側には、カム部１ｈ４が形成されている。カム部１ｈ４は外周方向から回転中心ピン１ｈ３に向かって形成されたスリットである。このカム部１ｈ４は装置本体１００に設けられた後述する作用部材としての作用ピン４００（図１１）が係合する部位である。カム部１ｈ４の横には係合部１ｈ５を設けている。この係合部１ｈ５と前記突当り端面１ｈ７によってレーザーシャッター１ｋの開閉を行う。
【００４８】
シャッター開閉カム１ｈと補給口シャッター１ｄ及びレーザーシャッター１ｋとの動作関係について、図７を用いて説明する。図７（ａ）から（ｃ）は、順に、補給口シャッター１ｄ及びレーザーシャッター１ｋが開く様子を示す状態遷移図である。
【００４９】
図７（ａ）において補給ロシャッター１ｄは右方に位置している。この位置では補給口１ｂ１と開口１ｄ１がずれて位置している。このため、補給口１ｂ１は遮蔽壁１ｄ２によって遮蔽されている。また、シャッター開閉カム１ｈの突当り端部１ｈ７がレーザーシャッター１ｋの開閉部１ｋ１に当接して、レーザーシャッター１ｋは閉じた状態になっている。また、シャッター開閉カム１ｈのギヤ部１ｈ１と補給ロシャッター１ｄのラック１ｄ４は噛み合っている。
【００５０】
そして、図７（ｂ）に示すように、回転中心ピン１ｈ３を中心にシャッター開閉カム１ｈを時計回りに回転していくと、ギヤ部１ｈ１とラック１ｄ４の噛み合いによって、シャッター開閉カム１ｈの回転動作が補給ロシャッター１ｄの直線運動に変換され、補給ロシャッター１ｄが図中左側に移動する。このとき、補給ロシャッター１ｄの裏面に設けたガイドリブ１ｄ３がガイド溝１ａ１に嵌合してスライドする。このため、補給ロシャッター１ｄはガイド溝１ａ１に案内されて長手方向に直線状に移動する。
【００５１】
そして図７（ｃ）に示すように、更にシャッター開閉カム１ｈが時計回りに回転する。すると、補給ロシャッター１ｄは左側に移動し、開口１ｄ１が補給口１ｂ１に重なった位置で停止する。このとき、シャッター開閉カム１ｈは補給口１ｂ１を開放した状態（作動状態）となる。よって、トナーが供給され得る状態となる。また、シャッター開閉カム１ｈの係合部１ｈ５が開閉部１ｋ１に当接して開閉部１ｋ１を押し上げ、レーザーシャッター１ｋが開く。このとき、レーザーシャッター１ｋは露光開口１ｃを開いた状態となる（作動状態）。
【００５２】
図７（ｃ）に示す状態において、逆に、回転中心ピン１ｈ３を中心にシャッター開閉カム１ｈを反時計回りに回転させると、補給口シャッター１ｄは右側に移動し、補給口１ｂ１を遮蔽壁１ｄ２によって遮蔽した位置で停止する（図７（ａ））。このとき、シャッター開閉カム１ｈは補給口１ｂ１を遮蔽した状態（非作動状態）となる。また、図７（ａ）に示すように、シャッター開閉カム１ｈの突当り端面１ｈ７がレーザーシャッター１ｋの開閉部１ｋ１に当る。これによってレーザーシャッター１ｋが倒される。このとき、レーザーシャッター１ｋは露光開口１ｃを閉じた状態となる（非作動状態）。
【００５３】
ここで、図８（ａ）及び（ｂ）を用いてシャッター開閉カム１ｈによるレーザーシャッター１ｋの開閉動作について説明する。図８（ａ）はレーザーシャッター１ｋが閉じた状態を、図８（ｂ）はレーザーシャッター１ｋが開いた状態をそれぞれ示している。
図８（ａ）の状態においては、レーザーシャッター１ｋのシャッター面１ｋ２に対して略４５°に設けられた開閉部１ｋ１の上面に対して、シャッター開閉カム１ｈの突当り端面１ｈ７により図中右方向から力が加わっている。レーザーシャッター１ｋは突当り端面１ｈ７の力により倒されて露光開口１ｃを閉じた状態（遮蔽状態）となる（図７（ａ））。
【００５４】
そして、シャッター開閉カム１ｈが時計回りに回転すると、今度は、図８（ｂ）に示すように開閉部１ｋ１の下面に対してシャッター開閉カム１ｈの係合部１ｈ５が当接して図中左方向から力が加わる。開閉部１ｋ１は係合部１ｈ５によって押し上げられる。これによりレーザーシャッター１ｋは回動中心１ｋ３を支点として時計回りに回転する。これによってシャッター面１ｋ２が起き上がり、レーザーシャッター１ｋは露光開口１ｃを開いた状態（開放状態）となる（図７（ｃ））。
【００５５】
逆に、レーザーシャッター１ｋを閉じる場合には、シャッター開閉カム１ｈが反時計回りに回転すると、図８（ｂ）の状態（開放状態）において図中右側からシャッター開閉カム１ｈの突当り端面１ｈ７によって力が加わる。開閉部１ｋ１は係合部１ｈ５によって突当り端面１ｈ７によって押し倒される。これによりレーザーシャッター１ｋは回動中心１ｋ３を支点として反時計回りに回転する。これによって、図８（ａ）に示すようにシャッター面１ｋ２が倒れて、レーザーシャッター１ｋは露光開口１ｃを閉じた状態（遮蔽状態）となる。
【００５６】
上述のように、シャッター開閉カム１ｈの回転動作によって、補給口シャッター１ｄ及びレーザーシャッター１ｋの開閉が行われる。
【００５７】
図９（ａ）に示すようにシャッター開閉カム１ｈと補給口シャッター１ｄはカートリッジ１０上に配置されている。これらの部品は、脱落防止や補給口１ｄ１からのトナー漏れなどを目的として図９（ｂ）に斜線で示すようにフレーム１ａに取り付けられたカバー１９で覆われ固定されている。カバー１９には作用ピン４００が通過する直線上のシャッター溝１９ａがカートリッジ長手方向に形成されている。作用ピン４００は、シャッター溝１９ａを通過する途中でシャッター開閉カム１ｈのカム部１ｈ４に当接する。
【００５８】
［プロセスカートリッジのシャッター機構への作用手段について］
次に図１と図１０〜図１４において、本発明の特徴的構成を説明する。まず図１０によってカートリッジ１０の挿入ガイド構成を説明する。図１０はカートリッジ１０の装置本体１００への挿入構成を説明する模式図である。
【００５９】
３００（３００ａ、３００ｂ、３００ｃ、３００ｄ、３００ｅ）はガイドレールである。各ガイドレール３００は画像形成ステーションＳ（Ｓｙ、Ｓｍ、Ｓｃ、Ｓｋ）内にそれぞれ設けられたガイドフレーム３１０に固定されている。また各ガイドレール３００は画像形成ステーションＳの長手方向に沿って略全域に設けられている。各ガイドレール３００は、それぞれカートリッジ１０の装着経路として、第一のレール面３０１（３０１ａ、３０１ｂ、３０１ｃ、３０１ｄ、３０１ｅ）と、第二のレール面３０２（３０２ａ、３０２ｂ、３０２ｃ、３０２ｄ、３０２ｅ）を有している。
【００６０】
一方、各カートリッジ１０にも右レール１７ａ及び左レール１７ｂがカートリッジ長手方向に沿って略全域に設けられている。右レール１７ａはそれぞれカートリッジ短手方向においてフレーム右側面に凸形状をなして形成してある。左レール１７ｂはそれぞれカートリッジ短手方向においてフレーム左側面に凸形状をなして形成してある。
【００６１】
第一のレール面３０１はカートリッジ１０の右レール１７ａに、第二のレール面３０２はカートリッジ１０の左レール１７ｂに対応している。従って、カートリッジ１０ｙはガイドレール３００ａの第二のレール面３０２ａとガイドレール３００ｂの第一のレール面３０１ｂに摺動して挿入される。同様に、カートリッジ１０ｍはガイドレール３００ｂの第二のレール面３０２ｂとガイドレール３００ｃの第一のレール面３０１ｃに摺動して挿入される。またカートリッジ１０ｃはガイドレール３００ｃの第二のレール面３０２ｃとガイドレール３００ｄの第一のレール面３０１ｄに摺動して挿入される。またカートリッジ１０ｋはガイドレール３００ｄの第二のレール面３０２ｄとガイドレール３００ｅの第一のレール面３０１ｅに摺動して挿入される。
【００６２】
カートリッジ１０とガイドレール３００との間にはある程度のクリアランスが設けてある。また、本例のように、カートリッジ１０を並べて配置する構成では、装置本体１００を小型化するために各カートリッジ１０が接近されて配置される。従って、各カートリッジ１０の間にはガイドフレーム３１０と、ガイドフレーム３１０を支持するためのガイドレール３００が配置されている。
【００６３】
次に作用ピン４００の構成について説明する。図１１は作用ピン４００の構成を説明する斜視図である。図１２（ａ）は作用ピン４００を装置本体１００の左側から見た組み立て展開状態を示す。図１２（ｂ）は作用ピン４００を装置本体１００の上側から見た状態を示す。
【００６４】
図１２（ａ）において、３４０はガイドフレーム３１０の切り起こし部である。切り起こし部３４０は、ガイドフレーム３１０上において作用ピン４００の移動する軸線４００ｃを中心として対称的に２カ所に設けられている。４２０は切り起こし部３４０に取り付けられてブラケットレールである。ブラケットレール４２０にはブラケットスライド部４２１と固定部４２２の２つの溝（図１２（ｂ）参照）が形成されている。切り起こし部３４０の先端には凸部３４１が形成されている。この凸部３４１を固定部４２２の溝の底面に形成された穴４２３に圧入することでブラケットレール４２０はガイドフレーム３１０の切り起こし部３４０に固定される。またブラケットレール４２０はポリアセタール（ＰＯＭ）などの摺動性の良い材質で形成されている。
【００６５】
作用ピン４００はブラケット４０１上に、作用ピン４００の軸方向が作用ピン４００の移動方向と同一になるように形成されている。ブラケット４０１はブラケットベース４０５をブラケットスライド部４２１に嵌合させている。これによって、ブラケット４０１はブラケットレール４２０に沿って作用ピン４００の軸方向にスライド可能に構成されている。ブラケット４０１のブラケットレール４２０への嵌合部の端面は滑らかな処理が施してある。例えばブラケット４０１が板金で形成されている場合には、面打ち等の処理がされている。
【００６６】
ブラケット４０１の移動方向の下側には少なくとも２カ所に位置決め部としての位置決め凸部４０３ａ、４０３ｂが形成されている。位置決め凸部４０３ａ、４０３ｂは図１２（ａ）に示すように滑らかな円弧形状をしている。それぞれの位置決め凸部４０３ａ、４０３ｂは図１２（ａ）における高さ方向の位置は同じであるように構成されている。カートリッジ１０が装着された状態ではブラケット４０１は位置決め凸部４０３ａ、４０３ｂのみがカートリッジ上面１９ｂ（図１０）に当接するように構成されている。このとき作用ピン４００のピン端部４００ａはカートリッジ１０のシャッター溝１９ａの底面１９ｃよりも上方に位置決めされる。
【００６７】
また、装置本体１００の前側に位置する位置決め凸部４０３ａからは図１２（ａ）において斜め上方に向けて案内部であるブラケット案内部４０２が延伸されている。ブラケット案内部４０２は位置決め凸部４０３ａと連続して形成されている。そしてカートリッジ１０の装着方向（挿入方向）と交差する斜め上方に向けて傾斜している。
【００６８】
ブラケット４０１は、ブラケット４０１に形成された第一のバネ掛け４０４と、ガイドフレーム３１０に形成された第二のバネ掛け３２０に、弾性部材としてのブラケットばね４１０が架け渡されている。ブラケット４０１はブラケットばね４１０のばね力によって常に下方に付勢されている。
【００６９】
また、ガイドフレーム３１０にはブラケット４０１の移動軌跡上にガイドフレーム３１０から打ち出しによって切り起こした係止部３３０が形成されている。下方に付勢されたブラケット４０１はブラケットベース４０５に設けた突き当て部４０６が係止部３３０に当接することで係止されるように構成されている。このとき作用ピン４００のピン端部４００ａは挿入途中のカートリッジ１０のシャッター溝１９ａの底面１９ｃよりも下方に位置決めされる。なお、係止部３３０は曲げによって形成しても構わない。
【００７０】
そして、図１０に示すように、カートリッジ１０の未装着時には作用ピン４００、ブラケット案内部４０２、位置決め凸部４０３ａ、４０３ｂは、それぞれ各画像形成ステーションＳにおいてカートリッジ１０の挿入軌跡（装着軌跡）上に位置するように構成されている。また、作用ピン４００は、カートリッジ１０がブラケット案内部４０２に当接する以前では、ブラケットばね４１０によってブラケット４０１とともに下方に付勢されている。これによってブラケットベース４０５は突き当て部４０６がガイドフレーム３１０の係止部３３０（図１２参照）に当接し係止されている。このとき、作用ピン４００のピン端部４００ａは、挿入途中のカートリッジ１０のシャッター溝１９ａの底面１９ｃよりも下方に位置している。したがって作用ピン４００は、ガイド３００からカートリッジ１０が脱落した状態においても、シャッター開閉カム１ｈに係合するように構成されている。また、カートリッジ１０を装着した状態では作用ピン４００がシャッター溝１９ａに入り込む位置関係になっている。
【００７１】
［プロセスカートリッジの着脱動作］
次に図１、図１３及び図１４を用いてカートリッジ１０の着脱動作に連動した作用ピン４００の動作について説明する。図１はカートリッジ１０の挿入状態を装置本体１００の左側から見た状態を示している。図１３は作用ピン４００とシャッター開閉カム１ｈの関係を説明する図である。図１４は作用ピン４００とカートリッジ１０の関係を説明する図である。
【００７２】
図１（ａ）のように、カートリッジ１０は装置本体１００前面のＰ開口部６１からガイドレール３００に沿って挿入される。カートリッジ１０の挿入が進むと、図１４（ａ）のように、先ずカートリッジ１０の奥側端部１８がブラケット案内部４０２に当接する。すると、ブラケット４０１はブラケットレール４２０に沿って上方へ移動し始める。このとき、ブラケット案内部４０２は位置決め凸部４０３ａ、４０３ｂをカートリッジ上面１９ｂに案内する。
【００７３】
さらにカートリッジ１０の挿入が進むと、図１４（ｂ）ように、カートリッジ１０の奥側端部１８が位置決め凸部４０３ａに当接する。さらにカートリッジ１０の挿入が進むと、図１４（ｃ）ように、位置決め凸部４０３ａがカートリッジ上面１９ｂに当接する。このとき、作用ピン４００のピン端部４００ａはシャッター溝１９ａの底面１９ｃよりも上方に位置している。従って、作用ピン４００は底面１９ｃに当接することなくシャッター溝１９ａを通過する。
【００７４】
図１３に示すように、作用ピン４００がシャッター溝１９ａを通過する際に、作用ピン４００はシャッター開閉カム１ｈに形成されたカム部１ｈ４に係合する。カートリッジ１０の挿入が進行すると、作用ピン４００はカム部１ｈ４を押す。これによってシャッター開閉カム１ｈは回転中心１ｈ３を支点に時計回りへの回転を開始する。カートリッジ１０の挿入が完全に装着位置まで挿入されると、シャッター開閉カム１ｈは図１３（ｃ）に示す位置まで回転する。前述した補給口シャッター１ｄはシャッター開閉カム１ｈの回転に連動し、長手方向（図１３（ｃ）のように左方へ）に移動する。そして、補給口１ｂ１が露出することにより、カートリッジ１０へのトナーの補給が可能となる。
【００７５】
また、レーザーシャッター１ｋに関しても、シャッター開閉カム１ｈの回転と連動してレーザーシャッター１ｋが図８（ａ）のように時計回りに回転する。これによって露光開口１ｃが開放される。
【００７６】
逆に、カートリッジ１０を装置本体１００から抜き出すときには、図１３（ｃ）に示すように、装置本体１００に設けられた作用ピン４００がカートリッジ１０に対して相対的に左側に移動してくる。そして、シャッター開閉カム１ｈに設けられたカム部１ｈ４に作用ピン４００が係合する。カートリッジ１０の抜き出しが進行すると、作用ピン４００はカム部１ｈ４を押す。これによってシャッター開閉カム１ｈは回転中心１ｈ３を支点に反時計回りへの回転する。
【００７７】
図１３（ｂ）に示すように、シャッター開閉カム１ｈの回転に連動して、補給口シャッター１ｄは長手方向（図１３（ｂ）に示すように右方に）に移動する。
そして、図１３（ａ）に示すように作用ピン４００とシャッター開閉カム１ｈのカム部１ｈ４との係合が解かれる位置までシャッター開閉カム１ｈが回転する。すると、補給口シャッター１ｄは補給口１ｂ１を遮蔽した状態になる。
【００７８】
また、シャッター開閉カム１ｈの回転と連動してレーザーシャッター１ｋが図８（ｂ）のように反時計回りに回転する。そしてレーザーシャッター１ｋが閉じる。これによって露光開口１ｃがレーザーシャッター１ｋによって閉じられた状態になる。
【００７９】
最後に、図１（ａ）のように位置決め凸部４０３ａとカートリッジ上面１９ｂとの当接が無くなり、奥側端部１８とブラケット案内部４０２が当接することになる。そしてカートリッジ１０が抜かれるにつれてブラケット４０１が下方に移動する。最後には奥側端部１８とブラケット案内部４０２の当接が無くなりブラケット４０１が係止部３２０で係止される。
【００８０】
図１０において隣接する２つの画像形成ステーションＳの双方にカートリッジ１０が装着されていない場合、カートリッジ１０をカートリッジ短手方向の何れか一方（右方向又は左方向）に力を加えながら２つのガイドレール３００に沿って挿入するとする。すると、カートリッジ１０の力を加えた側のレール１７ａ、１７ｂでこれに対応するガイドレール３００がカートリッジ短手方向に押される。このとき、その一方のガイドレール３００はガイドステー３１０とともに撓んでしまい、他方のガイドレール３００からカートリッジ１０の奥側が脱落する場合がある。
【００８１】
前述したように、作用ピン４００のピン端部４００ａは、挿入途中のカートリッジ１０のシャッター溝１９ａの底面１９ｃよりも下方に位置している。よって、ガイドレール３００からカートリッジ１０が脱落した状態においても、作用ピン４００がシャッター開閉カム１ｈに係合する位置にあるように構成されている。
【００８２】
従って、カートリッジ１０が挿入途中においてガイドレール３００から脱落した場合には、奥側端部１８がブラケット案内部４０２に当接することはない。さらにカートリッジ１０の挿入が進むと、作用ピン４００がシャッター開閉カム１ｈに形成されたカム部１ｈ４に係合する。そして作用ピン４００はシャッター開閉カム１ｈを時計回りに回転させる。これによって補給口シャッター１ｄ、レーザーシャッター１ｋが開状態となる。
【００８３】
なお、ガイドレール３００とガイドステー３１０の撓みは長手方向における中央付近で最も大きく撓んでいる。またガイドレール３００とガイドステー３１０の撓みは長手方向奥側では撓みは小さくなっている。従って、脱落したカートリッジ１０を奥側まで挿入すると、脱落が解消されカートリッジ１０は再びガイド３００レールに案内される。
【００８４】
また、カートリッジ１０の上方に装着されたトナー補給容器１５が未装着の状態では、カートリッジ１０の上方への規制が一部無くなる。この状態においてカートリッジ１０を装着する際に、カートリッジ１０の手前側に下方への外力を加えると、カートリッジ１０の奥側がガイドレール３００から浮き上がる場合がある。
【００８５】
浮き上がったカートリッジ１０の奥側端部１８はブラケット案内部４０２に当接する。このときブラケット４０１はブラケットレール４２０に沿って上方へ移動する。さらにカートリッジ１０の挿入が進むと、作用ピン４００がシャッター開閉カム１ｈに形成されたカム部１ｈ４に係合する。そして作用ピン４００はシャッター開閉カム１ｈを時計回りに回転させる。これによって補給ロシャッター１ｄ、レーザーシャッター１ｋが開状態となる。
【００８６】
本実施例の電子写真画像形成装置によれば、シャッター開閉カム１ｈに係合する作用ピン４００が、カートリッジ１０の着脱方向（図１の矢印Ｘ方向）と交差（直交）する方向（図１１の矢印Ｚ方向）に移動可能に構成される。これによって、カートリッジ１０を装置本体１００に対して挿入又は抜き出す際に、カートリッジ１０がガイドレール３００の所定の装着経路から逸脱した場合においても、カートリッジ１０に追従して作用ピン４００が動作する。すなわち、作用ピン４００はシャッター開閉カム１ｈに係合してシャッター開閉カム１ｈを回転させる。このシャッター開閉カム１ｈの回転によって補給口シャッター１ｄが所定方向に回転して補給口１ｂ１を開放状態又は遮蔽状態とする。また、シャッター開閉カム１ｈの回転によってレーザーシャッター１ｋが起立・倒伏して露光開口１ｃを開放状態又は遮蔽状態とする。
【００８７】
従って、カートリッジを装置本体に装着する際に、カートリッジの有する切り替え手段を確実に動作させることができる。また、カートリッジを装置本体に装着する際に、カートリッジが所定の装着経路から逸脱したとしても、カートリッジの有する切り替え手段を確実に動作させることができる。
【実施例２】
【００８８】
図１６乃至図１８を用いて本発明の第２の実施例を説明する。
【００８９】
本実施例では作用ピン及びこれを移動可能に保持するホルダーの一例を示す。実施例１と同じ部材・部品には同一の符号を付す。
【００９０】
図１６（ａ）は作用ピン５００及びホルダー５２０の一例を示す断面図、（ｂ）は作用ピン５００及びホルダー５２０の組付け前の平面図である。
【００９１】
作用ピン５００には、シャッター開閉カム１ｈへの係合部５０１と、第一のフランジ５０２と、第二のフランジ５０３が形成されている。５１０はガイドである。ガイド５１０は係合部５０１に圧入され、第一のフランジ５０２に突き当たって固定されている。ガイド５１０には、カートリッジ１０のカートリッジ上面１９ｂと当接する位置決め部５１１と、奥側端部１８と当接する案内部５１２が形成されている。案内部５１２は位置決め部５１１と連続して形成されている。そしてカートリッジ１０の装着方向と交差する斜め上方に向けて傾斜している。作用ピン５００はホルダー５２０の円筒部５２２に嵌め込まれている。また作用ピン５００は円筒部５２２内に滑らかに上下動可能に取り付けられている。そして、第二のフランジ５０３がホルダー５２０に設けた係止部としての第三のフランジ５２１に当接することでホルダー５２０内に係止される。
【００９２】
また、図１６（ｂ）に示すように円筒部５２２内面には凸部５２３が形成されている。この凸部５２３に対応して、作用ピン５００の第二のフランジ５０３に凹部５０５が形成されている。これにより、作用ピン５００はホルダー５２０の中で回転することがないように構成されている。
【００９３】
また、ホルダー５２０はガイドフレーム３１０に固定されており、円筒部５２２には弾性部材としてのバネ５３０が設置されている。バネ５３０は第二のフランジ５０３に係合し、作用ピン５００を図１６に示す下方に付勢している。
【００９４】
次に、図１７及び図１８を用いてカートリッジ１０の着脱動作に連動した作用ピン５００の動作について説明する。図１７は作用ピン５００を具備するホルダー５２０をガイドレール３００の上方に配置した状態を示す図である。図１８は作用ピン４００とカートリッジ１０の関係を説明する図である。
【００９５】
上記作用ピン５００を具備するホルダー５２０は、図１７に示すように、ガイドレール３００の上方に配置される。カートリッジ１０が装着されていない状態では、作用ピン５００は下方に付勢され第二のフランジ５０３がホルダー５２０の第三のフランジ５２１に当接して係止されている。このとき、作用ピン５００のピン端部５０４は、装着されるカートリッジ１０のシャッター溝１９ａの底面１９ｃよりも下方に位置している。
【００９６】
カートリッジ１０が挿入されてくると、図１８（ａ）に示すように、先ず奥側端部１８が案内部５１２に当接する。これによってガイド５１１には作用ピンＢ５００とともに上方への力が作用する。これによってガイド５１１及び作用ピン５００は上方へ移動する。このとき、案内部５１２は位置決め部５１１をカートリッジ上面１９ｂに案内する。
さらにカートリッジ１０の挿入が進むと、図１８（ｂ）ように、カートリッジ１０のカートリッジ上面１９ｂが位置決め部５１１と当接する。すると、作用ピン５００のピン端部５０４がシャッター溝１９ａの底面１９ｃよりも上方に位置決めされる。
【００９７】
さらにカートリッジ１０の挿入が進むと、図１８（ｃ）ように、作用ピン５００は底面１９ｃに当接することなくシャッター溝１９ａを通過することとなる。そして、作用ピン４００がシャッター溝１９ａを通過する際に、係合部５０１がシャッター開閉カム１ｈのカム部１ｈ４に係合する。
【００９８】
シャッター開閉カム１ｈはカム部１ｈ４が係合部５０１で押されることで回転中心１ｈ３を支点に時計回りへ回転する。シャッター開閉カム１ｈの回転に連動してシャッター開閉カム１ｈが回転する。これによって補給口シャッター１ｄが移動して補給口１ｂ１を開放状態とする。これによりカートリッジ１０へのトナーの補給が可能となる。
【００９９】
カートリッジ１０を装置本体１００から抜き出す場合は、カートリッジ１０が抜き出されるに従って、作用ピン５００の係合部５０１はカートリッジ１０のシャッター溝１９ａを奥側から手前側に通過する。その通過途中で作用ピン５００の係合部５０１がシャッター開閉カム１ｈのカム部１ｈ４に係合する。
【０１００】
シャッター開閉カム１ｈはカム部１ｈ４が係合部５０１で押されることで回転中心１ｈ３を支点に反時計回りへ回転する。シャッター開閉カム１ｈの回転に連動してシャッター開閉カム１ｈが回転する。これによって補給口シャッター１ｄが移動して補給口１ｂ１を遮蔽状態とする。
【０１０１】
そして、カートリッジ１０の更なる抜き出しに伴い、図１８（ｂ）の状態からカートリッジ上面１９ｂと位置決め部５１１の当接が無くなると、図１８（ａ）のように奥側端部１８と案内部５１２が当接する。
【０１０２】
さらにプロセスカートリッジ１０が抜き出されと、作用ピンＢ５００が下降し、奥側端部１８と案内部５１２の当接が無くなり、第二のフランジ５０３が第三のフランジ５２１で係止される。
【０１０３】
従って、本実施例に作用ピン及びホルダーを具備する電子写真画像形成装置においても実施例１の電子写真画像形成装置と同様な作用・効果を得ることができる。
【０１０４】
[その他]
（１）作用ピン４００、５００は、カートリッジ１０の上方に配置されたシャッター開閉カム１ｈに係合する。しかしながら、作用ピン４００、５００はこれに限らず、カートリッジ１０の側方や下方にシャッター開閉カム１ｈが配置された場合、これに対応した位置に作用ピン４００を配置させても構わない。
【０１０５】
前述したように、カートリッジ１０とガイドレール３００の図１０における横方向は、ある程度のクリアランスが設けてある。また、図１０のように、プロセスカートリッジ１０を並べて配置する構成では、装置本体１００を小型化するために各カートリッジ１０が接近されて配置される。従って、各カートリッジ１０の間にはガイドフレーム３１０と、ガイドレール３００のみが配置されている。隣接する画像形成ステーションＳの双方にカートリッジ１０が装着されていない場合、カートリッジ１０をカートリッジ短手方向の何れか一方に力を加えながら装着するとガイドレール３１０は撓んでしまう。
【０１０６】
すなわち、カートリッジ１０はガイドレール３００とのクリアランス分と、ガイドフレーム３１０の撓み量分だけ、画像形成ステーションＳの並び方向（記録媒体搬送方向）に自由に位置がずれてしまう。従って、カートリッジ１０の側方にシャッター開閉カム１ｈが設置される場合、これに対応した位置に上記第一の実施例で示した作用ピン４００、あるいは第二の実施例で示した作用ピン５００を配置することで、作用ピン４００あるいは作用ピンＢ５００が確実にシャッター開閉カム１ｈに係合し、補給口シャッター１ｄ、及びレーザーシャッター１ｋを開閉することができる。
【０１０７】
（２）また、作用ピン４００、５００は、プロセスカートリッジ１０の挿入方向と略直交する方向に移動するように構成されている。しかしながら、作用ピン４００、５００はこれに限らず、カートリッジ１０の装着方向と交差しカートリッジ１０の着脱に連動すれば、移動方向は問わない。
【０１０８】
（３）また、作用ピン４００、５００はカバー１９に設けられたシャッター溝１９ａを通過する際に、カバー１９内に設置されたシャッター開閉カム１ｈに係合する。しかしながら、作用ピン４００、５００は溝を通過する構成に限定されることはない。例えば、シャッター開閉カム１ｈがカートリッジ１０上に露出しており、作用ピン４００、５００が溝に案内されることなく、直接シャッター開閉カム１ｈに係合する構成でも構わない。
【０１０９】
（４）また、作用ピン４００、５００は、シャッター開閉カム１ｈに係合する形状であればその形状は問わない。
【０１１０】
（５）また、上記第一の実施例、及び第二の実施例では、カートリッジ１０に配置された、トナー補給口、レーザー露光口のシャッター機構に関して説明した。しかしながら、シャッター機構はこれに限定されるものではない。例えばカートリッジ１０の装置本体１００への未装着時には、図１９（ｂ）に示すように感光体ドラム１２と現像手段１４を不図示の機構により離間させる（非作動状態）。そしてカートリッジ１０の装置本体１００への装着時には、図１９（ａ）に示すように感光体ドラム１２と現像手段１４を不図示の機構により当接させる（作動状態）切り替え機構であっても構わない。
【０１１１】
（６）また、シャッター機構は、図２０に示すクリーニング装置７０に適用させても構わない。クリーニング装置７０は装置本体１００に取り外し可能に取り付けられるユニットとして構成されている。クリーニング装置７０は、感光体ドラム上のトナーを除去するブレード７１がクリーナ容器７２内部に配置されている。ブレード７１は先端部がクリーナ容器７２の開口７２ａから突出している。突出したブレード７１の上部には、ヒンジ７３ａを中心にして回動可能に構成されたシャッター機構としてのクリーニングシャッター７３が配置されている。クリーニングシャッター７３の回動内面側にはシール７３ａが設けられている。図２０（ａ）はクリーニングシャッター７３が閉じた状態（非作動状態）を示している。開口７２ａはクリーニングシャッター７３によって覆われている。また、開口７２ａはシール７３ｂによってシールされている。これによって、ユーザー交換時におけるブレード７１の保護とクリーナ容器７２に蓄積された廃トナーの漏れを防止できる。装置本体１００に装着すると、図２０（ｂ）のように、クリーニングシャッター７３が不図示の機構により開き（作動状態）ブレード７１によって中間転写ベルト３１上のトナーを除去することが可能になるように構成されている。
【０１１２】
（７）また、シャッター機構は、図２１に示す転写ローラ装置６００に適用させても構わない。転写ローラ装置６００は装置本体１００に取り外し可能に取り付けられるユニットとして構成されている。転写ローラ装置６００は、二次転写ローラ３６がローラホルダー６０１上にローラ軸３６ａを中心として回転可能に支持されている。ローラ軸３６ａには、シャッター機構としてのローラシャッター６２０ａ、６２０ｂがローラ軸３６ａを中心に回動可能に配置されている。図２１（ａ）はローラシャッター６２０が閉じた状態(非作動状態)を示している。ローラシャッター６２０ａと６２０ｂは一部が重複している。これによって、二次転写ローラ３６はローラシャッター６２０によって覆われユーザー交換時の破損や汚損を防止している。装置本体１００に転写ローラ装置６００を装着すると、図２１（ｂ）のように、ローラシャッター６２０が不図示の機構により開く（作動状態）構成になっている。これにより、二次転写ローラ３６によって中間転写ベルト３１上のトナー画像を記録媒体に転写できるようになる。
【０１１３】
前述実施例によれば、プロセスカートリッジがガイド手段の所定の装着経路から逸脱したとしても、プロセスカートリッジに追従して作用部材をより確実に動作させることができる。これによって、作用部材を切り替え機構に係合させることができる。よって、切り替え手段をより確実に作動状態と非作動状態に切り替えることができる。
【図面の簡単な説明】
【０１１４】
【図１】プロセスカートリッジの挿入状態を示す図である。
【図２】カラー電子写真画像形成装置の構成を示す図である。
【図３】光学装置とプロセスカートリッジの配置構成を示す図である。
【図４】プロセスカートリッジの補給口を取り除いた状態を示す平面図である。
【図５】補給口シャッターを示す図である。
【図６】シャッター開閉カムの斜視図である。
【図７】補給口シャッター及びレーザーシャッターが開く様子を示す斜視図である。
【図８】レーザーシャッターの開閉動作を示す図である。
【図９】プロセスカートリッジを上面側から見た外観斜視図である。
【図１０】プロセスカートリッジの装置本体への挿入構成を説明する模式図である。
【図１１】作用ピンの配置構成を説明する図である。
【図１２】作用ピンの配置構成を説明する図である。
【図１３】作用ピンとシャッター開閉カムの関係を説明する図である。
【図１４】作用ピンとカートリッジの関係を説明する図である。
【図１５】プロセスカートリッジの構成を示す模型図である。
【図１６】作用ピン及びホルダーの一例を示す図である。
【図１７】作用ピン及びホルダーの配置態様を示す図である。
【図１８】作用ピンとプロセスカートリッジの関係を説明する図である。
【図１９】プロセスカートリッジにおけるシャッター機構の他の例を示す図である。
【図２０】シャッター機構を有するクリーニング装置の一例を示す図である。
【図２１】シャッター機構を有する転写ローラ装置の一例を示す図である。
【符号の説明】
【０１１５】
１ａ…フレームガイド溝、１ｂ…補給開口部、１ｂ１…補給開口、１ｃ…露光開口、
１ｄ…補給口シャッター、１ｄ１…開口、１ｄ２…遮蔽壁、１ｄ３…ガイドリブ、
１ｄ４…ラック、１ｈ…シャッター開閉カム、１ｈ１…ギヤ部、１ｈ２…ピン、
１ｈ３…回転中心ピン、１ｈ４…カム部、１ｈ５…係合部、１ｈ６…係合部、
１ｈ７…突き当たり端面、１ｋ…レーザーシャッター、１ｋ１…開閉部、
１ｋ２…シャッター面、１ｋ３…回動中心、１０…プロセスカートリッジ、
１２…感光体ドラム、１８…奥側端部、１９…カバー、１９ａ…シャッター溝、
１９ｂ…カートリッジ上面、１９ｃ…底面、１００…装置本体、
３１０…ガイドフレーム、３２０…第二のバネ掛け部、３３０…係止部、
３４０…切り起こし部、３４１…凸部、４００…作用ピン、４００ａ…ピン端部、
４０１…ブラケット、４０２…ブラケット案内部、４０３…位置決め凸部、
４０４…第一のバネ掛け部、４０５…ブラケットベース、４０６…突き当て部、
４２０…ブラケットレール、４２１…ブラケットスライド部、４２２…固定部、
５００…作用ピン、５０１…係合部、５０４…ピン端部、５１０…案内部
５１１…位置決め部、５２０…ホルダー、５３０…バネ
【図１】
2006119462.tif 000003
【図２】
2006119462.tif 000004
【図３】
2006119462.tif 000005
【図４】
2006119462.tif 000006
【図５】
2006119462.tif 000007
【図６】
2006119462.tif 000008
【図７】
2006119462.tif 000009
【図８】
2006119462.tif 000010
【図９】
2006119462.tif 000011
【図１０】
2006119462.tif 000012
【図１１】
2006119462.tif 000013
【図１２】
2006119462.tif 000014
【図１３】
2006119462.tif 000015
【図１４】
2006119462.tif 000016
【図１５】
2006119462.tif 000017
【図１７】
2006119462.tif 000018
【図１８】
2006119462.tif 000019
【図１９】
2006119462.tif 000020
【図２０】
2006119462.tif 000021
【図２１】
2006119462.tif 000022
【図１６】
2006119462.tif 000023